(57)【要約】【課題】インターネット上のＷｅｂブラウザのアプリケーション（以下、アプリという）画面に画像と専用アイコンを表示して情報入力を支援する入力支援方法を提供する。【解決手段】上記課題解決のために、Ｗｅｂブラウザにアプリに関わる画像とアプリを実行するための専用アイコンを表示して通信情報の送受信を行うための入力支援方法であって、第１のアイコン群によって、少なくとも通信端末の表示画面にインターネット接続画面を表示するステップ，検索画面に入力枠を表示するステップ、および、ＨＰ画面を表示して目的とするアプリを選択・実行するステップと、選択されたアプリ画面に表示された第２のアイコン群によって少なくともアプリを実行するステップ，通信情報の送受信を行うステップ、および、アプリを終了するステップと、第１のアイコン群によってインターネット接続画面を終了する入力支援方法を提供する。【選択図】  図１
2006059281.tif 000002
【特許請求の範囲】
【請求項１】
ウェブブラウザにアプリケーションに関わる画像とアプリケーションを実行するための専用アイコンを表示し、通信情報の送受信を行うための入力支援方法であって、
第１のアイコン群によって、少なくとも通信端末の表示画面にインターネット接続画面を表示するステップ，検索画面に入力枠を表示するステップ、および、ＨＰ（ホームページ）画面を表示して目的とするアプリケーションを選択・実行するステップと、
選択されたアプリケーション画面に表示された第２のアイコン群によって少なくともアプリケーションを実行するステップ，通信情報の送受信を行うステップ、および、アプリケーションを終了するステップと、
第１のアイコン群によってインターネット接続画面を終了することを特徴とする入力支援方法。
【請求項２】
請求項１に記載の入力支援方法において、
アプリケーション画面に切り替わった後、文字列と第２のアイコンを対比させ、第２のアイコンの使用目的を示す凡例画面を表示することを特徴とする入力支援方法。
【請求項３】
請求項１〜２何れか１項に記載の入力支援方法において、
凡例画面は、必要に応じて入力画面に表示されることを特徴とする入力支援方法。
【請求項４】
請求項1〜３何れか１項に記載の入力支援方法において、
画面に表示された第２のアイコンとアプリケーション画面に表示された画像には、変換プログラムを含む関連プログラムが組み込まれたことを特徴とする入力支援方法。
【請求項５】
請求項１〜４何れか１項に記載の入力支援方法において、
送受信される情報には暗号化された情報が含まれることを特徴とする入力支援方法。
【発明の詳細な説明】
【技術分野】
【０００１】
本発明は、入力支援方法に関し、詳しくは、インターネット上のウェブブラウザのアプリケーション画面に画像と専用アイコンを表示して情報入力を支援する、入力支援方法に関する。
【背景技術】
【０００２】
パーソナルコンピュータや、携帯電話などの情報機器は、年々機能が向上し、操作も複雑化している。その上、マニュアルも厚くなり、操作方法が片仮名などによる専門用語で記載されているために、パーソナルコンピュータの使用に抵抗感を示す中高年にとってはますます取り付き難いものになってきている。
情報によれば、２０代，３０代では９０％以上が情報機器を利用している一方で、６０歳代以上では、情報機器を利用している者は２５％程度に留まっているという。
従来、アプリケーションソフトが小規模の頃は、キーボードを操作するだけで済んでいたが、近年では、メモリが大容量化し、低廉化し、プログラムサイズが大きくなってきて、プログラム制御ツールの一部または、殆どが表示画面の中に組み込まれ、ディスプレイ，マウス，キーボードを複雑に駆使しなければならなくなってきた。
また、インターネットの普及に伴い、多くのアプリケーションがインターネット対応になってきている。
夥しいアプリケーションがインターネットで実施されている中で、例えば、ネット上で会員組織を構成し、会員間で個人情報を交換し合う結婚情報サービスや、転職支援サービス等のマッチングビジネスが賑わいを見せている。
【０００３】
このような状況を反映して、会員のプライバシーの漏洩を防止する結婚情報サービスに関する特許が開示されている。
この技術は、インターネットを利用する結婚情報サービス装置であって、前記インターネット内に配置されたサーバディスクと、インターネットに接続され、インターネット外の情報記録装置を有する管理者用コンピュータとを具備し、サーバディスクは結婚情報サービス装置を利用する会員の生年または年齢、職業、学歴、および、会員の容姿を表示する画像データを含む第１の個人データを記録する第１の記録部を有し、情報記録装置は会員の氏名、および少なくとも住所、電話番号または電子メールアドレスのいずれかを含む第２の個人データを記録する第２の記録部を有することを特徴とする、というものである（例えば、特許文献１参照）。
【０００４】
【特許文献１】登実第３０５２６７３号公報
【発明の開示】
【発明が解決しようとする課題】
【０００５】
しかし、前述の開示技術は、例えば、中高年の者でも操作できるような簡便な操作性や、セキュリティに関する情報の保護には触れられていない。
【課題を解決するための手段】
【０００６】
前記課題を解決するために、本発明の入力支援方法の請求項１に記載の発明は、ウェブブラウザにアプリケーションに関わる画像とアプリケーションを実行するための専用アイコンを表示し、通信情報の送受信を行うための入力支援方法であって、第１のアイコン群によって、少なくとも通信端末の表示画面にインターネット接続画面を表示するステップ，検索画面に入力枠を表示するステップ、および、ＨＰ（ホームページ）画面を表示して目的とするアプリケーションを選択・実行するステップと、選択されたアプリケーション画面に表示された第２のアイコン群によって少なくともアプリケーションを実行するステップ，通信情報の送受信を行うステップ、および、アプリケーションを終了するステップと、第１のアイコン群によってインターネット接続画面を終了することを特徴とするものである。
【０００７】
また、請求項２に記載の発明は、請求項1に記載の発明において、アプリケーション画面に切り替わった後、文字列と第２のアイコンを対比させ、第２のアイコンの使用目的を示す凡例画面を表示することを特徴とするものである。
【０００８】
また、請求項３に記載の発明は、請求項1〜２何れか１項に記載の発明において、凡例画面は、必要に応じて入力画面に表示されることを特徴とするものである。
【０００９】
また、請求項４に記載の発明は、請求項１〜３何れか１項に記載の発明において、画面に表示された第２のアイコンとアプリケーション画面に表示された画像には、変換プログラムを含む関連プログラムが組み込まれたことを特徴とするものである。
【００１０】
また、請求項５に記載の発明は、請求項１〜４何れか１項に記載の発明において、送受信されるデータには暗号化されたデータが含まれることを特徴とするものである。
【発明の効果】
【００１１】
１）請求項１に記載のように、ウェブブラウザにアプリケーションに関わる画像と、アプリケーションを実行するための専用アイコンを表示し、通信情報の送受信を行うための入力支援方法であって、第１のアイコン群によって、通信端末の表示画面にインターネット接続画面を表示するステップと、検索画面に入力枠を表示するステップと、ＨＰ（ホームページ）画面を表示して目的とするアプリケーションを選択・実行するステップと、選択されたアプリケーション画面に表示された第２のアイコン群によってアプリケーションを実行するステップと、通信情報の送受信を行うステップと、アプリケーションを終了するステップと、第１のアイコン群によって、インターネット接続画面を終了することによって、画面を操作する通常のアイコンの他にアプリケーション毎に専用のアイコン（第２のアイコン）を組み込むことによって、パーソナルコンピュータや通信端末を操作できない世代でも容易に操作することができ、特に、他人に操作方法を聞き難いアプリケーションに対して効を奏する。
２）また、請求項２に記載のように、請求項1に記載の発明において、アプリケーション画面に切り替わった後、使用者に文字列と第２のアイコンを対比させ、第２のアイコンの使用目的を示す凡例画面を表示することによって、アイコンの絵の意味を都度把握させ、操作を的確に進めさせることができる。
３）また、請求項３に記載のように、請求項1〜２何れか１項に記載の発明において、
凡例画面は、必要に応じて入力画面に表示されることによって、汎用画面に戻ることなく第２のアイコンの意味，目的を正しく把握することができる。
４）また、請求項４に記載のように、請求項１〜３何れか１項に記載の発明において、
画面に表示された第２のアイコンとアプリケーション画面に表示された画像には、変換プログラムを含む関連プログラムが組み込まれたことによって、画面に表示された画像を的確に操作し、必要な処理を実行させることができる。
５）また、請求項５に記載のように、請求項１〜４何れか１項に記載の発明において、送受信される情報には暗号化された情報が含まれることによって、情報を安全に送受信することができる。
また、ＤＲＭ（Ｄｉｇｉｔａｌ  Ｒｉｇｈｔ  Ｍａｎａｇｅｍｅｎｔ）処理を付与することによって送受信する画像に電子透かしを入れて著作権を保護することができる。
【発明を実施するための最良の形態】
【００１２】
以下図面を参照して、本発明の入力支援方法について説明する。
図１は、本発明の入力支援方法を実行するための機器構成について説明するための図，図２は、第２のアイコンの使用目的を示す凡例画面の一例について説明するための図，図３は、本発明の入力支援方法の実施手順の一例について説明するための表，図４は、表示画面に郵便受を表示する手順について説明するための図，図５は、郵便受を開けて内容物を確認する手順について説明するための図，図６は、郵便受から封筒を取り出して宛先情報と差出人情報を確認する手順について説明するための図，図７は、封筒を開封して内容物を取り出す手順について説明するための図，図８は、内容物を確認し、内容物に必要事項を記載する手順について説明するための図，図９は、内容物に必要事項を記載した後、返信封筒に封入する手順について説明するための図，図１０は、封筒を封緘する手順について説明するための図，図１１は、封書を送信する手順について説明するための図，図１２は、アプリケーションを終了する手順について説明するための図，である。
【００１３】
以下に説明する実施形態では、通常、紙に印刷または印字された資料を封筒に入れて利用者に郵送する形態をインターネット上に再現し、通信端末に精通していない者でも容易に操作できる実施例で説明する。
具体的には、例えば、中高年者を対象とした結婚情報サービス，転職支援サービスのようなアプリケーションに本発明の入力支援方法が適用された例である。
【００１４】
図１に示すように、本発明の入力支援方法は、ネット経由でアプリケーション情報を配信する情報配信サーバ１と、情報を受信して利用する通信端末２の間で利用される。
標準的な通信端末は、例えば、パーソナルコンピュータのような通信機能，ディスプレイのような表示部，キーボードのような入力部，マウスのようなポインティングデバイスを装備している。
利用者は、パーソナルコンピュータでインターネットにアクセスするために、プロバイダにアクセスし、加入コードと暗証番号によって登録された会員であることを証明し、検索画面を表示する。
検索画面の入力枠に目的とするドメイン名を入力し、サービス提供者のＨＰ（ホームページ）を開く。
ここまでは、第１のアイコン（通常のアイコン）を使用して操作する。
ＨＰ画面で、目的とするアプリケーションを選択し、操作を進める。この段階から本発明の、第２のアイコン（専用のアイコン）を使用する。
【００１５】
図２を参照して、第２のアイコンの使用目的を示す凡例画面の一例について説明する。
図２の表に表示した第２のアイコン群は、サービス提供者から封筒に密封した書類を利用者に送信し、受信した利用者は暗号鍵で開封し、書類を確認し、必要事項を記載、または、入力して返信するアプリケーションのためのアイコン群である。
矢印で表示された第２のアイコン１００は、通常のポインタと同様の機能を有し、指定した内容を実行させるためのアイコンである。
また、手を表示した第２のアイコン２００は、操作の段階に対応して書類を封筒から引き出したり、入力済みの書類を返信封筒に封入する時に使用されるアイコンである。
また、郵便受で表示された第２のアイコン３００は、利用者の画面に最初に表示され、利用者に対して郵便が来ているかどうか確認するためのアイコンである。
また、蓋が開けられた郵便受で表示された第２のアイコン４００は、郵便受を利用者があけるためのツールとしてのアイコンである。
また、封筒で表示された第２のアイコン５００は、送信された封書を確認する際，および返信する際に使用されるアイコンである。
また、開封された封筒で表示された第２のアイコン６００は、封筒を開封するためのアイコンである。
また、鋏で表示された第２のアイコン７００は、第２のアイコン６００と同様、封筒を開封するためのアイコンである。
また、ペンで表示された第２のアイコン８００は、書類の確認や、書類への入力を行うためのアイコンである。
【００１６】
前述の第２のアイコンにはそれぞれ関連するプログラムが組み込まれている。例えば、第２のアイコン２００をクリックすると、そのステップ（段階）に応じて、手の状態が自在に変化し、画面に表示されて画像に対応する。
また、第２のアイコン６００をクリックすると、事前に取得され、パーソナルコンピュータの所定のメモリ、または、ＩＣカードなどの携帯型記憶装置の中に保管されている秘密鍵で暗号を復号したり、送信情報を暗号化する作業が自動的に行われる。
【００１７】
図３の実施手順表、および、図４〜図１２を参照して、本発明の入力支援方法の一例について説明する。
図３の表は、手順別に、通信端末の表示部に表示される画面状態，検索・選択・入力などの作業内容，使用される第２のアイコン，各アイコンまたは入力枠に組み込まれて機能する関連プログラムの一例について記載されている。
【００１８】
まず、通信端末を操作してインターネット接続画面を表示し、インターネットに接続する（ステップ１：以下Ｓ１という。）
次に、インターネットの検索画面で入力枠を表示し、ドメイン名を入力する（Ｓ２）。
ステップ２により、ＨＰを開き、ＨＰに表示された項目の中から目的とする項目を選択する（Ｓ３）。
【００１９】
選択された画面には、図４に示すように、基本操作を行うためのアイコン群がインターネット画面２０に配列されている。
また、ＨＰで選択されたアプリケーション画面２１には、第２のアイコン群１００〜８００が、画面の下部に表示されている。
このステップで表示される画面は、第２のアイコンが表示される最初の画面となるために、第２のアイコンについての説明画面（表示せず）を表示する。
第２のアイコン群は、図では画面の下部に配置されているが、上部，左右に配置されていてもよい。
第２のアイコン群の、アイコン３００をクリックし郵便受を表示する（Ｓ４）。
この段階で、アイコン３００に組み込まれた関連プログラムは、利用者が登録された会員であるかどうかの確認（署名検証）を行う。
【００２０】
次に、図５に示すように、第２のアイコン群の、アイコン４００をクリックし、郵便受を開けて郵便物の有無を確認する（Ｓ５）。
【００２１】
次に、図６に示すように、第２のアイコン群の、アイコン２００をクリックして封書を郵便受から取り出し、宛先情報確認アイコン５００をクリックして、宛先情報と差出人情報を確認する（Ｓ６）。
このステップでは、アイコン５００が封書に添付されている電子署名（ハッシュデータ）を、自動的に検証し、受信した情報が改ざんされていないことを検証する。
また、同時に貼付されてきた公開鍵で暗号化データを復号する。
【００２２】
次に、図７に示すように、第２のアイコン群の、アイコン６００をクリックして封筒を開封し、第２のアイコン群の、アイコン２００によって内容物である資料を取り出す（Ｓ７）。
【００２３】
次に、図８に示すように、第２のアイコン群の、アイコン８００をクリックして入力画面を表示し、資料を確認し、資料に記載されている手順に従って必要事項を記載、または、入力する（Ｓ８）。
【００２４】
図９に示すように、資料に必要事項を記載した後、第２のアイコン群のアイコン２００をクリックして返信封筒に封入する（Ｓ９）。
【００２５】
図１０に示すように、第２のアイコン群のアイコン５００をクリックして封筒を封緘する（Ｓ１０）。
このステップでは、アイコン５００は、封書が内包する情報（記載データ等）を、送信時に添付されてきた公開鍵で暗号化し、電子署名を添付する。
【００２６】
図１１に示すように、第２のアイコン群のアイコン１００をクリックして矢印を画面に表示し、矢印をドラッグして投函（送信）ボタンをクリックし、封書を送信する（Ｓ１１）。
【００２７】
図１２に示すように、第２のアイコン群のアイコン１００をクリックして矢印を画面に表示し、矢印をドラッグしてアプリケーション終了ボタンをクリックし、アプリケーションを終了する（Ｓ１２）。
この後は、通常のアイコン（第１のアイコン）によってインターネットの接続を解除する。
【００２８】
図４〜図１２の操作では、図示しないが、アプリケーション表示画面に設けられたヘルプ「？」マークをクリックすることによって、図２に示した凡例表（凡例画面）を表示し、第２のアイコンの機能を確認することができる。
【００２９】
情報配信サーバから送信される第２のアイコンを含むアプリケーション画面には必要に応じてＤＲＭ処理が付与され、送受信される。
前述のＳ６、または、Ｓ７の時点で事前に取得していた秘密鍵で暗号化された宛先データ、および、資料データを復号する。
また、Ｓ１０で封緘する際に、送信する情報を前記秘密鍵で暗号化し、Ｓ１１で封書を送信する際に公開鍵と電子証明書を貼付する。
前述のように、これらの復号処理、暗号化処理は全て第２のアイコンに組み込まれたプログラムによって処理される。
【産業上の利用可能性】
【００３０】
本発明の入力支援方法は、パーソナルコンピュータについて専門的な知識がない利用者に提供するアプリケーションに広く利用できる。
【図面の簡単な説明】
【００３１】
【図１】本発明の入力支援方法を実行するための機器構成について説明するための図である。
【図２】第２のアイコンの使用目的を示す凡例画面の一例について説明するための図である。
【図３】本発明の入力支援方法の実施手順の一例について説明するための表である。
【図４】表示画面に郵便受を表示する手順について説明するための図である。
【図５】郵便受を開けて内容物を確認する手順について説明するための図である。
【図６】郵便受から封筒を取り出して宛先情報と差出人情報を確認する手順について説明するための図である。
【図７】封筒を開封して内容物を取り出す手順について説明するための図である。
【図８】内容物を確認し、内容物に必要事項を記載する手順について説明するための図である。
【図９】内容物に必要事項を記載した後、返信封筒に封入する手順について説明するための図である。
【図１０】封筒を封緘する手順について説明するための図である。
【図１１】封書を送信する手順について説明するための図である。
【図１２】アプリケーションを終了する手順について説明するための図である。
【符号の説明】
【００３２】
１      情報配信サーバ
２      通信端末
２０    インターネット表示画面
２１    アプリケーション表示画面
１００，２００，３００，４００，５００，６００，７００，８００  第２のアイコン
【図１】
2006059281.tif 000003
【図２】
2006059281.tif 000004
【図３】
2006059281.tif 000005
【図４】
2006059281.tif 000006
【図５】
2006059281.tif 000007
【図６】
2006059281.tif 000008
【図７】
2006059281.tif 000009
【図８】
2006059281.tif 000010
【図９】
2006059281.tif 000011
【図１０】
2006059281.tif 000012
【図１１】
2006059281.tif 000013
【図１２】
2006059281.tif 000014